(57)【要約】【課題】使用者の操作以外の要因でタッチスイッチが非検知状態から検知状態に切り換わったときに、バーナの点火等の処理がなされることを防止したコンロを提供することを目的とする。【解決手段】  コンロ本体に備えられたコントローラは、ＳＴＥＰ２０１で操作部に備えられたいずれかのタッチスイッチである第１のタッチスイッチがｏｆｆ状態からｏｎ状態に切り換わったときに、ＳＴＥＰ２０２に進んで１秒タイマをスタートさせる。そして、コントローラは、ＳＴＥＰ２０３とＳＴＥＰ２１０からなるループを実行し、ＳＴＥＰ２０３で１秒タイマがタイムアップする前にＳＴＥＰ２１０で、第１のタッチスイッチ以外のいずれかのタッチスイッチである第２のタッチスイッチがｏｆｆ状態からｏｎ状態に切り換わったときには、ＳＴＥＰ２１０からＳＴＥＰ２１１に進み、表示部の点滅とブザーの鳴動による「異常報知」を実行する。【選択図】  図１２
2005315438.tif 000002
【特許請求の範囲】
【請求項１】
加熱手段を収容するコンロ本体の上面を覆う天板に、使用者により操作されるために設けられて、該天板の上面への接触物又は接近物を検知する複数個のタッチスイッチと、
各タッチスイッチが検知状態にあるか非検知状態にあるかを把握し、把握結果に応じて、各タッチスイッチ対して予め設定された所定処理を実行する制御手段とを備えたコンロにおいて、
前記制御手段は、前記複数個のタッチスイッチのうちの第１のタッチスイッチが非検知状態から検知状態に切り換わったときに、該検知状態に切り換わった時点から所定時間が経過するまで該第１のタッチスイッチに対して設定された所定処理の実行を禁止し、該所定時間が経過するまでに、前記複数個のタッチスイッチのうちの該第１のタッチスイッチ以外の第２のタッチスイッチが非検知状態から検知状態に切り換わったときは、該第１のタッチスイッチに対して設定された所定処理と該第２のタッチスイッチに対して設定された所定処理の実行を禁止し、該所定時間が経過するまで該第１のタッチスイッチ以外の全てのタッチスイッチが非検知状態に維持されたときには、該第１のタッチスイッチに対して設定された所定処理を実行することを特徴とするコンロ。
【請求項２】
加熱手段を収容するコンロ本体の上面を覆う天板に、使用者により操作されるために設けられて、該天板の上面への接触物又は接近物を検知する複数個のタッチスイッチと、
各タッチスイッチが検知状態にあるか非検知状態にあるかを把握し、把握結果に応じて、各タッチスイッチ対して予め設定された所定処理を実行する制御手段とを備えたコンロにおいて、
前記制御手段は、前記複数個のタッチスイッチのうちの第１のタッチスイッチが非検知状態から検知状態に切り換わったときに、その後、該第１のタッチスイッチが検知状態から非検知状態に復帰するまで該第１のタッチスイッチに対して設定された所定処理の実行を禁止し、該第１のタッチスイッチが検知状態から非検知状態に復帰するまでの間に、前記複数個のタッチスイッチのうちの該第１のタッチスイッチ以外の第２のタッチスイッチが非検知状態から検知状態に切り換わったときは、該第１のタッチスイッチに対して設定された所定処理と該第２のタッチスイッチに対して設定された所定処理の実行を禁止し、該第１のタッチスイッチが検知状態から非検知状態に復帰するまで該第１のタッチスイッチ以外の全てのタッチスイッチが非検知状態に維持されたときには、該第１のタッチスイッチに対して設定された所定処理を実行することを特徴とするコンロ。
【請求項３】
前記複数個のタッチスイッチに含まれて、前記加熱手段の作動開始を指示する作動開始スイッチを備え、
前記第１のタッチスイッチ又は前記第２のタッチスイッチは該作動開始スイッチであり、該作動開始スイッチに対して設定された前記所定処理は、前記加熱手段の作動開始の処理であることを特徴とする請求項１又は請求項２記載のコンロ。
【請求項４】
前記加熱手段の加熱量を変更する加熱量変更手段と、
前記複数個のタッチスイッチに含まれて、前記加熱手段の加熱量の変更を指示する加熱量変更スイッチとを備え、
前記第１のタッチスイッチ又は前記第２のタッチスイッチは該加熱量変更スイッチであり、該加熱量変更スイッチに対して設定された前記所定処理は、前記加熱量変更手段により前記加熱手段の加熱量を変更する処理であることを特徴とする請求項１又は請求項２記載のコンロ。
【請求項５】
前記複数個のタッチスイッチに含まれて、前記加熱手段の作動開始を指示する作動開始スイッチと、
前記複数個のタッチスイッチに含まれて、該作動開始スイッチによる前記加熱手段の作動開始の指示が可能な作動開始準備状態と、該作動開始スイッチによる前記加熱手段の作動開始の指示が不能な作動開始不可状態との切換を指示する作動開始準備スイッチとを備え、
前記第１のタッチスイッチ又は前記第２のタッチスイッチは、前記作動開始準備スイッチであり、前記作動開始準備スイッチに対して設定された前記所定処理は、前記作動開始準備状態と前記作動開始不可状態との切換処理であることを特徴とする請求項１又は請求項２記載のコンロ。
【請求項６】
前記作動開始スイッチの周囲に、前記複数個のタッチスイッチのうちの少なくとも２個のタッチスイッチが、近接して配置されていることを特徴とする請求項３又は請求項５記載のコンロ。
【発明の詳細な説明】
【技術分野】
【０００１】
本発明は、加熱手段を備えたコンロに関し、特に天板の上面に加熱手段の作動を指示するための操作部を備えたコンロに関する。
【背景技術】
【０００２】
従来より、図１５に示したように、システムキッチンのカウンタトップに用意された開口にコンロ本体１０１を埋設するドロップイン式のコンロにおいて、ガスバーナ１００ａ，１００ｂが収容されるコンロ本体１０１の上面を覆うガラス天板１０２に、ガスバーナ１００ａ，１００ｂの点火／消火と火力調節を行うための操作つまみ１０３ａ，１０３ｂを設けたものが知られている（例えば特許文献１参照）。
【０００３】
かかるコンロによれば、前面に操作部を備えたコンロを設置する場合のように、カウンタトップの前面に操作部を臨ませる開口を設ける必要がなく、カウンタトップへのコンロの設置も容易に行うことができる。また、ガスバーナの点火／消火や火力調節を天板１０２に設けられて視認性が良い操作つまみ１０３ａ，１０３ｂにより行うことができるため、使用者の操作性が向上する。
【特許文献１】実開昭５８−１８６３０２号公報
【発明の開示】
【発明が解決しようとする課題】
【０００４】
図１５に示したコンロによれば、操作つまみ１０３ａ，１０３ｂがガラス天板１０２の上面に突出して配置されているため、調理を行う際に邪魔になる場合がある。そこで、ガスバーナ１００ａ，１００ｂの操作手段として、例えば、静電容量式のセンサの検出部をガラス天板１０２の裏面に設けてガラス天板１０２の表面に操作部を備えたタッチスイッチを構成し、ガラス天板１０２の上面をフラットにすることが考えられる。
【０００５】
しかし、このようにタッチスイッチを設けた場合、五徳１０４ａ，１０４ｂに載置したなべ等からの調理物の煮こぼれやガラス天板１０２への落下物等によりタッチスイッチが覆われて、タッチスイッチがｏｎすることが生じ得る。そして、これにより、例えば右バーナ１００ｂのみを用いて加熱調理を行っているときに、右バーナ１００ｂの五徳１０４ｂに載置されたなべからの煮こぼれにより左バーナ１００ａの点火スイッチがｏｎし、左バーナ１００ａが点火されてしまうという不都合がある。
【０００６】
そこで、本発明はかかる不都合を解消し、使用者の操作以外の要因でタッチスイッチが非検知状態から検知状態に切り換わったときに、バーナの点火等の処理がなされることを防止したコンロを提供することを目的とする。
【課題を解決するための手段】
【０００７】
本発明は上記目的を達成するためになされたものであり、加熱手段を収容するコンロ本体の上面を覆う天板に、使用者により操作されるために設けられて、該天板の上面への接触物又は接近物を検知する複数個のタッチスイッチと、各タッチスイッチが検知状態にあるか非検知状態にあるかを把握し、把握結果に応じて、各タッチスイッチ対して予め設定された所定処理を実行する制御手段とを備えたコンロの改良に関する。
【０００８】
そして、本発明の第１の態様における前記制御手段は、前記複数個のタッチスイッチのうちの第１のタッチスイッチが非検知状態から検知状態に切り換わったときに、該検知状態に切り換わった時点から所定時間が経過するまで該第１のタッチスイッチに対して設定された所定処理の実行を禁止し、該所定時間が経過するまでに、前記複数個のタッチスイッチのうちの該第１のタッチスイッチ以外の第２のタッチスイッチが非検知状態から検知状態に切り換わったときは、該第１のタッチスイッチに対して設定された所定処理と該第２のタッチスイッチに対して設定された所定処理の実行を禁止し、該所定時間が経過するまで該第１のタッチスイッチ以外の全てのタッチスイッチが非検知状態に維持されたときには、該第１のタッチスイッチに対して設定された所定処理を実行することを特徴とする。
【０００９】
かかる本発明によれば、前記複数個のタッチスイッチは近接して設けられている。そのため、調理物の煮こぼれが生じた場合に、該煮こぼれにより１個のタッチスイッチのみが覆われる可能性は低く、少なくとも２個のタッチスイッチが煮こぼれにより覆われる可能性が高くなる。そのため、前記制御手段は、前記第１のタッチスイッチが非検知状態から検知状態に切り換わった時点から、前記所定時間が経過するまでの間に、前記第１のタッチスイッチ以外の前記第２のタッチスイッチが非検知状態から検知状態に切り換わったときに、前記第１のタッチスイッチに対して設定された所定処理と前記第２のタッチスイッチに対して設定された所定処理の実行を禁止する。
【００１０】
そして、これにより、調理物の煮こぼれ等の使用者の操作以外の要因によって、２個のタッチスイッチが非検知状態から検知状態に切り換わったときに、該２個のタッチスイッチに対してそれぞれ設定された所定処理が実行されることを防止することができる。
【００１１】
また、本発明の第２の態様における前記制御手段は、前記複数個のタッチスイッチのうちの第１のタッチスイッチが非検知状態から検知状態に切り換わったときに、その後、該第１のタッチスイッチが検知状態から非検知状態に復帰するまで該第１のタッチスイッチに対して設定された所定処理の実行を禁止し、該第１のタッチスイッチが検知状態から非検知状態に復帰するまでの間に、前記複数個のタッチスイッチのうちの該第１のタッチスイッチ以外の第２のタッチスイッチが非検知状態から検知状態に切り換わったときは、該第１のタッチスイッチに対して設定された所定処理と該第２のタッチスイッチに対して設定された所定処理との実行を禁止し、該第１のタッチスイッチが検知状態から非検知状態に復帰するまで該第１のタッチスイッチ以外の全てのタッチスイッチが非検知状態に維持されたときには、該第１のタッチスイッチに対して設定された所定処理を実行することを特徴とする。
【００１２】
かかる本発明によれば、前記制御手段は、前記第１のタッチスイッチが非検知状態から検知状態に切り換わったときに、その後、該第１のタッチスイッチが検知状態から非検知状態に復帰するまでの間に、前記第２のタッチスイッチが非検知状態から検知状態に切り換わったときは、該第１のタッチスイッチに対して設定された所定処理と該第２のタッチスイッチに対して設定された所定処理の実行を禁止する。
【００１３】
そして、これにより、調理物の煮こぼれ等の使用者の操作以外の要因によって、前記複数個のタッチスイッチのうちのいずれかが非検知状態から検知状態に切り換わったときに、該タッチスイッチに対して設定された所定処理が実行されることを防止することができる。
【００１４】
また、前記複数個のタッチスイッチに含まれて、前記加熱手段の作動開始を指示する作動開始スイッチを備え、前記第１のタッチスイッチ又は前記第２のタッチスイッチは該作動開始スイッチであり、該作動開始スイッチに対して設定された前記所定処理は、前記加熱手段の作動開始の処理であることを特徴とする。
【００１５】
かかる本発明によれば、調理物の煮こぼれ等の使用者の操作以外の要因で前記作動開始スイッチが非検知状態から検知状態に切り換わったときに、前記加熱手段の作動開始の処理が実行されることを防止することができる。
【００１６】
また、前記加熱手段の加熱量を変更する加熱量変更手段と、前記複数個のタッチスイッチに含まれて、前記加熱手段の加熱量の変更を指示する加熱量変更スイッチとを備え、前記第１のタッチスイッチ又は前記第２のタッチスイッチは該加熱量変更スイッチであり、該加熱量変更スイッチに対して設定された前記所定処理は、前記加熱量変更手段により前記加熱手段の加熱量を変更する処理であることを特徴とする。
【００１７】
かかる本発明によれば、調理物の煮こぼれ等の使用者の操作以外の要因で前記加熱量変更スイッチが非検知状態から検知状態に切り換わったときに、前記加熱量変更手段により前記加熱手段の加熱量が変更されることを防止することができる。
【００１８】
また、前記複数個のタッチスイッチに含まれて、前記加熱手段の作動開始を指示する作動開始スイッチと、前記複数個のタッチスイッチに含まれて、該作動開始スイッチによる前記加熱手段の作動開始の指示が可能な作動開始準備状態と、該作動開始スイッチによる前記加熱手段の作動開始の指示が不能な作動開始不可状態との切換を指示する作動開始準備スイッチとを備え、前記第１のタッチスイッチ又は前記第２のタッチスイッチは、前記作動開始準備スイッチであり、前記作動開始準備スイッチに対して設定された前記所定処理は、前記作動開始準備状態と前記作動開始不可状態との切換処理であることを特徴とする。
【００１９】
かかる本発明によれば、調理物の煮こぼれ等の使用者の操作以外の要因で、前記作動開始準備スイッチが非検知状態から検知状態に切り換わったときに、前記作動開始準備状態と前記作動開始不可状態との切換処理が実行されることを防止することができる。特に、前記作動開始不可状態から前記作動開始準備状態への切換を防止することにより、前記作動開始スイッチによる前記加熱手段の作動開始の指示が不能な状態を維持することができる。
【００２０】
また、前記作動開始スイッチの周囲に、前記複数個のタッチスイッチのうちの少なくとも２個のタッチスイッチが、近接して配置されていることを特徴とする。
【００２１】
かかる本発明によれば、前記作動開始スイッチの周囲から前記作動開始スイッチに向かって調理物の煮こぼれや吹きこぼれが流れたときに、前記作動開始スイッチとその周囲に配置された他のタッチスイッチの双方が非検知状態から検知状態に切り換わる。そのため、調理物の煮こぼれが生じたときに、前記制御手段により、前記作動開始スイッチに対して設定された所定処理である前記加熱手段の作動開始の処理が禁止され、これにより、調理物の煮こぼれや吹きこぼれに起因して前記加熱手段の作動開始の処理が実行されることを防止することができる。
【発明を実施するための最良の形態】
【００２２】
本発明の実施の形態について、図１〜図１３を参照して説明する。図１は本発明のコンロの外観図、図２は図１に示した操作部の詳細図、図３はコンロの制御ブロック図、図４〜図７はバーナの点火処理のフローチャート、図８〜図１１はバーナ燃焼中の各種処理のフローチャート、図１２〜図１３はタッチスイッチの入力検知処理のフローチャート、図１４は点火スイッチの配置図である。
【００２３】
図１は、コンロ本体１の上面に、耐熱性に優れた結晶化ガラスで形成されたガラス天板２を装着したドロップイン式のコンロを示している。ガラス天板２には、左右一対のコンロ開口３ａ，３ｂが開設されている。そして、コンロ本体１内に、各コンロ開口３ａ，３ｂに臨ませて、左バーナ４ａ及び右バーナ４ｂ（本発明の加熱手段に相当する）が設けられている。また、コンロ開口３ａ，３ｂには、調理容器を載置する五徳５ａ，５ｂが配置され、ガラス天板２の上面の手前側に、左バーナ４ａ及び右バーナ４ｂの作動を指示するための操作部６が設けられている。
【００２４】
図２を参照して、操作部６には、コンロに電源が投入された状態で、左バーナ４ａ及び右バーナ４ｂの作動指示が可能な「運転状態」と該作動指示が不能な「待機状態」とに切り換える運転スイッチ１０が備えられている。また、左バーナ４ａの作動を指示するために、左バーナ４ａを点火準備状態（本発明の作動開始準備状態に相当する）とする点火準備スイッチ１１ａ（本発明の作動開始準備スイッチに相当する）、左バーナ４ａの火力を５段階（レベル１〜レベル５）に切り換える火力ＤＯＷＮスイッチ１２ａ（本発明の加熱量変更スイッチに相当する）と火力ＵＰスイッチ１３ａ（本発明の加熱量変更スイッチに相当する）、左バーナ４ａが点火準備状態にあるときと左バーナ４ａの作動中に点灯する点火準備表示部１４ａ、及び左バーナ４ａの火力設定を表示する火力レベル表示部１５ａが設けられている。
【００２５】
なお、左バーナ４ａが点火準備状態にあるときに、火力ＵＰスイッチ１３ａが操作されたときには、左バーナ４ａの点火処理が実行される（この場合、火力ＵＰスイッチ１３ａは本発明の作動開始スイッチに相当する）。また、左バーナ４ａの燃焼中に点火準備スイッチ１１ａ又は運転スイッチ１０が操作されたときは、左バーナ４ａの消火処理が実行される。
【００２６】
同様に、右バーナ４ｂの作動を指示するために、右バーナ４ｂを点火準備状態（本発明の作動開始準備状態に相当する）とする点火準備スイッチ１１ｂ（本発明の作動開始準備スイッチに相当する）、右バーナ４ｂの火力を５段階（レベル１〜レベル５）に切り換える火力ＤＯＷＮスイッチ１２ｂ（本発明の加熱量変更スイッチに相当する）と火力ＵＰスイッチ１３ｂ（本発明の加熱量変更スイッチに相当する）、右バーナ４ｂが点火準備状態にあるときと右バーナ４ｂの作動中に点灯する点火準備表示部１４ｂ、及び右バーナ４ｂの火力設定を表示する火力レベル表示部１５ｂが設けられている。
【００２７】
なお、右バーナ４ｂが点火準備状態にあるときに、火力ＵＰスイッチ１３ｂが操作されたときには、右バーナ４ｂの点火処理が実行される（この場合、火力ＵＰスイッチ１３ｂは本発明の作動開始スイッチに相当する）。また、右バーナ４ｂの燃焼中に点火準備スイッチ１１ｂ又は運転スイッチ１０が操作されたときは、右バーナ４ｂの消火処理が実行される。
【００２８】
さらに、操作部６には、「運転状態」にあるときに点灯するアンロック表示部１６と、運転スイッチ１０が所定時間（例えば４秒）以上連続して操作されて、全てのスイッチの操作が不能ないわゆるチャイルドロック状態となったときに点灯するロック表示部１７とが備えられている。
【００２９】
なお、点火準備スイッチ１１ａ，１１ｂが操作されて、「点火準備状態」となる前の火力ＵＰスイッチ１３ａ，１３ｂによる左バーナ４ａ，右バーナ４ｂの点火指示が不能な状態が、本発明の作動開始不可状態に相当する。
【００３０】
ここで、操作部６の各スイッチは、ガラス天板２の裏面に設けられた静電容量センサと、該静電容量センサと対向したガラス天板２の表面部分にプリントされて各スイッチのタッチポイントを示すプリント部分とにより構成された無接点型のタッチスイッチである。そして、該プリント部分（静電容量センサに対向したガラス天板２の表面部分）に静電体が置かれているときは、静電容量センサにより該静電体が検出されてタッチスイッチはｏｎ状態（本発明の検知状態に相当する）となる。一方、該プリント部分に静電体が置かれていないときには、静電容量センサにより該静電体が検出されず、タッチスイッチはｏｆｆ状態（本発明の非検知状態に相当する）となる。
【００３１】
また、操作部６の各表示部は、ガラス天板２の裏面に設けられたＬＥＤと、該ＬＥＤと対向したガラス天板２の表面部分にプリントされたプリント部分とにより構成される。そして、ＬＥＤをＯＮしたときに表示部が点灯状態になり、ＬＥＤをＯＦＦしたときに表示部は消灯状態となる。
【００３２】
また、火力レベル表示部１５ａは、左バーナ４ａの火力レベル（レベル１〜レベル５）を、図示した５個の点灯部分からなるバー表示の左側からの点灯部分の点灯個数で表示する。例えば、左バーナ４ａの火力レベルが１であるときはバー表示の左端の点灯部分のみを点灯し、左バーナ４ａの火力レベルが５であるときはバー表示の５個の点灯部分が全て点灯する。同様に、火力レベル表示部１５ｂは、右バーナ４ｂの火力レベル（レベル１〜レベル５）を、図示した５個の点灯部分からなるバー表示の左側からの点灯部分の点灯個数で表示する。
【００３３】
次に、図３を参照して、コンロ本体１内には、コンロの全体的な作動を制御するコントローラ３０（本発明の制御手段に相当する）が備えられ、操作部６の各スイッチ（運転スイッチ１０、点火準備スイッチ１１ａ，１１ｂ、火力ＤＯＷＮスイッチ１２ａ，１２ｂ、火力ＵＰスイッチ１３ａ，１３ｂ）の操作状態（ｏｎ／ｏｆｆ）の検知信号がコントローラ３０に入力される。
【００３４】
また、コントローラ３０から出力される制御信号によって、コンロ本体１への燃料ガスの供給と遮断とを切り換えるガス元弁４０、左バーナ４ａへの燃料ガスの供給と遮断とを切り換える左バーナ用開閉弁４１ａ、左バーナ４ａへの燃料ガスの供給流量を変更する左バーナ用火力調節弁４２ａ（本発明の加熱量変更手段に相当する）、左バーナ４ａの点火電極（図示しない）に高電圧を印加して火花放電を生じさせる左バーナ用イグナイタ４３ａ、右バーナ４ｂへの燃料ガスの供給と遮断とを切り換える右バーナ用開閉弁４１ｂ、右バーナ４ｂへの燃料ガスの供給流量を変更する右バーナ用火力調節弁４２ｂ（本発明の加熱量変更手段に相当する）、右バーナ４ｂの点火電極（図示しない）に高電圧を印加して火花放電を生じさせる右バーナ用イグナイタ４３ｂの作動が制御される。
【００３５】
さらに、コントローラ３０から出力される制御信号によって、操作部６に備えられた各表示部（点火準備表示部１４ａ，１４ｂ、火力レベル表示部１５ａ，１５ｂ、アンロック表示部１６、ロック表示部１７）の点灯／消灯と、ブザー１８のｏｎ／ｏｆｆが制御される。
【００３６】
また、コントローラ３０には、左バーナ４ａと右バーナ４ｂの作動を制御する加熱制御手段３１と、操作部６に備えられた各表示部の点灯／消灯の制御とブザー１８による報知を行う点灯制御手段３２とが備えられている。
【００３７】
ここで、上述したように、操作部６に設けられたタッチスイッチは、ガラス天板２の上面に所在する静電体の有無を検知するものである。そのため、使用者が指でタッチスイッチに触れた場合の他に、図１（ｂ）に示したように、左バーナ４ａのみを使用して鍋２０内の調理物を加熱していたときに、調理物のふきこぼれ２１が生じ、該ふきこぼれ２１が操作部６に達して右バーナ４ｂ用のタッチスイッチがｏｎ状態となることが生じ得る。或いは、ガラス天板２上の落下物（布巾、食材等）やガラス天板２上に置かれた調理容器により操作部６が覆われてタッチスイッチがｏｎ状態となることも生じ得る。
【００３８】
そこで、コントローラ３０は、このように、使用者の操作以外の要因でタッチスイッチがｏｆｆ状態からｏｎ状態に切り変わったときに、誤って左バーナ４ａや右バーナ４ｂに対する操作指示が受け付けられないようにするための処理を行う。以下、図４〜図１３のフローチャートに従って、かかる処理について説明する。なお、以下の説明は左バーナ４ａについて行うが、右バーナ４ｂに対する処理も同様である。
【００３９】
先ず、図４〜図７は、左バーナ４ａの点火操作に対する処理であり、コンロに電源が投入されると、コントローラ３０は作動を開始して「待機状態」となり、図４のＳＴＥＰ１で「スイッチ検知処理」のサブルーチンを実行する。
【００４０】
図１２は「スイッチ検知処理」のフローチャートであり、コントローラ３０は、ＳＴＥＰ２００で操作部６のタッチスイッチの誤検知が判断されたときにセットする誤検知フラグＳerr_Fをリセット（Ｓerr_F＝０）する。そして、続くＳＴＥＰ２０１で、操作部６に備えられたいずれかのスイッチである第１のタッチスイッチがｏｆｆ状態からｏｎ状態に切り換わるのを待つ。
【００４１】
ＳＴＥＰ２０１で、第１のタッチスイッチがｏｆｆ状態からｏｎ状態に切り換わったときに、ＳＴＥＰ２０１からＳＴＥＰ２０２に進み、コントローラ３０は１秒タイマをスタートさせる。そして、次のＳＴＥＰ２０３とＳＴＥＰ２１０からなるループを実行して、ＳＴＥＰ２０３で１秒タイマがタイムアップするまで、ＳＴＥＰ２１０で、操作部６に備えられた第１のタッチスイッチ以外のタッチスイッチである第２のタッチスイッチがｏｆｆ状態からｏｎ状態に切り換わったか否かを判断する。
【００４２】
ここで、ＳＴＥＰ２１０で第２のタッチスイッチがｏｆｆ状態からｏｎ状態に切り換わったときは、操作部６において、２個のタッチスイッチが共にｏｎ状態となっており、この場合は、使用者による操作ではなく調理物の煮こぼれ等により操作部６が覆われて２個のタッチスイッチがｏｎ状態となっていると想定される。そこで、この場合はＳＴＥＰ２１１に進み、コントローラ３０は、点火準備表示部１４ａを点滅させてブザー１８を鳴動させる「異常報知」を行い、使用者に煮こぼれ等が生じていることを報知する。そして、次のＳＴＥＰ２１２で、コントローラ３０は誤検知フラグＳerr_Fをセット（Ｓerr_F＝１）してＳＴＥＰ２０４に進み、「スイッチ検知処理」を終了する。
【００４３】
一方、ＳＴＥＰ２０３で１秒タイマがタイムアップしたときには、操作部６において第１のスイッチのみがｏｎ状態となっており、この場合は、使用者の操作により第１のタッチスイッチがｏｎ状態となっていると想定される。そこで、コントローラ２０３は、誤検知フラグＳerr_FをセットすることなくＳＴＥＰ２０４に進んで、「スイッチ検知処理」のサブルーチンを終了する。
【００４４】
そして、図４のＳＴＥＰ２で、誤検知フラグＳerr_Fがセットされており（Ｓerr_F＝１）は、タッチスイッチの誤検知が生じているときはＳＴＥＰ１に戻り、コントローラ３０はＳＴＥＰ３以降の処理を実行しない。一方、ＳＴＥＰ２で誤検知フラグＳerr_Fがリセットされていたとき（Ｓerr_F＝０）には、ＳＴＥＰ３に進み、コントローラ３０は、ＳＴＥＰ１の「スイッチ検知処理」における第１のタッチスイッチが運転スイッチ１０であったか否かを判断する。
【００４５】
そして、第１のタッチスイッチが運転スイッチ１０でなかったときはＳＴＥＰ１に分岐し、コントローラ３０はＳＴＥＰ４以降の処理を実行しない。そのため、コンロは「待機状態」に維持される。一方、ＳＴＥＰ３で、第１のタッチスイッチが運転スイッチ１０であったときには、ＳＴＥＰ４に進み、コントローラ３０は２秒タイマと４秒タイマをスタートさせる。
【００４６】
そして、次のＳＴＥＰ５とＳＴＥＰ３０からなるループにおいて、ＳＴＥＰ３０で運転スイッチ１０がｏｎ状態からｏｆｆ状態に復帰することなく、ＳＴＥＰ５で２秒タイマがタイムアップしたとき、すなわち、図１２のＳＴＥＰ２０１で運転スイッチ１０がｏｆｆ状態からｏｎ状態に切り換わってから、継続して３秒以上運転スイッチ１０がｏｎ状態に維持されたときにＳＴＥＰ６に進む。なお、２秒タイマがタイムアップする前にＳＴＥＰ３０で運転スイッチ１０がｏｎ状態からｏｆｆ状態に復帰したときには、ＳＴＥＰ１に戻りって「待機状態」が維持される。
【００４７】
そして、コントローラ３０はＳＴＥＰ６でアンロック表示部１６を点灯し、ＳＴＥＰ７でブザー１８を鳴動させてＳＴＥＰ８に進む。ＳＴＥＰ８とＳＴＥＰ３５からなるループにおいて、ＳＴＥＰ８で運転スイッチ１０がｏｎ状態からｏｆｆ状態に復帰したときは、「運転状態」に移行して図５のＳＴＥＰ９に進む。
【００４８】
一方、ＳＴＥＰ３５で４秒タイマがタイムアップしたとき、すなわち、図１２のＳＴＥＰ２０１で運転スイッチ１０がｏｆｆ状態からｏｎ状態に切り換わってから、継続して５秒以上運転スイッチ１０がｏｎ状態に維持されたときはにＳＴＥＰ６に進む。そして、コントローラ３０は、操作部６のスイッチ操作が不能な「チャイルドロック状態」とし、ロック表示部１７を点灯すると共にブザー１８を鳴動させる。なお、「チャイルドロック状態」において、運転スイッチ１０ｏｆｆ状態からｏｎ状態に切り換わり、その後が継続して４秒以上ｏｎ状態となったときに、「チャイルドロック状態」が解除される。
【００４９】
図５のＳＴＥＰ９で、コントローラ３０は「スイッチ検知処理」サブルーチンを実行し、次のＳＴＥＰ１０で誤検知フラグＳerr_Fがセットされていたとき（使用者の操作以外の要因でいずれかのタッチスイッチがｏｆｆ状態からｏｎ状態に切り換わったと想定されるとき）は、ＳＴＥＰ９に分岐して、再度「スイッチ検知処理」サブルーチンを実行する。
【００５０】
一方、ＳＴＥＰ１０で誤検知フラグＳerr_Fがリセットされていたとき（使用者の操作によりいずれかのタッチスイッチがｏｆｆ状態からｏｎ状態に切り換わったと想定されるとき）には、ＳＴＥＰ１１に進み、コントローラ３０はＳＴＥＰ９の「スイッチ検知処理」における第１のタッチスイッチが運転スイッチ１０であったか否かを判断する。そして、第１のタッチスイッチが運転スイッチ１０であったときは、ＳＴＥＰ４０に分岐してアンロック表示部１６を消灯し、ＳＴＥＰ４１でブザー１８を鳴動させて図４のＳＴＥＰ１に戻り、「待機状態」となる。
【００５１】
また、ＳＴＥＰ１１で第１のタッチスイッチが運転スイッチ１０でなかったときにはＳＴＥＰ１２に進み、コントローラ３０は第１のタッチスイッチが点火準備スイッチ１１ａであったか否かを判断する。そして、第１のタッチスイッチが点火準備スイッチ１１ａでなかったときはＳＴＥＰ９に分岐し、コントローラ３０は再度「スイッチ検知処理」を実行する。
【００５２】
一方、ＳＴＥＰ１２で第１のタッチスイッチが点火準備スイッチ１１ａであったときにはＳＴＥＰ１３に進む。ＳＴＥＰ１３とＳＴＥＰ１４は点灯制御手段３２による処理であり、点灯制御手段３２は、ＳＴＥＰ１３で点火準備表示部１４ａを点灯すると共に、ＳＴＥＰ１４でブザー１８を鳴動させて、使用者に「点火準備状態」となったことを報知する。
【００５３】
なお、実際に「点火準備状態」となるのは、後述する図６のＳＴＥＰ１６で点火準備スイッチ１１ａがｏｎ状態からｏｆｆ状態に復帰した時であるが、このように先行して「点火準備状態」となったことを報知することにより、使用者に対して点火準備スイッチ１１ａの操作が受け付けられたことを認識させることができる。
【００５４】
そして、コントローラ３０は、ＳＴＥＰ１５で２秒タイマをスタートさせて図６のＳＴＥＰ１６に進み、ＳＴＥＰ１６とＳＴＥＰ５０からなるループを実行して、ＳＴＥＰ５０で２秒タイマのタイムアップの有無を判断しながら、ＳＴＥＰ１６で点火準備スイッチ１１ａがｏｎ状態からｏｆｆ状態に復帰するのを待つ。
【００５５】
ここで、ＳＴＥＰ５０で２秒タイマがタイムアップしたときは、点火準備スイッチ１１ａが２秒以上継続してｏｎ状態となっており、調理物の煮こぼれ等の使用者の操作以外の要因によって点火準備スイッチ１１ａがｏｆｆ状態からｏｎ状態に切り換わったと想定される。そのため、この場合はＳＴＥＰ５０からＳＴＥＰ５１に進み、点灯制御手段３２は、点火準備表示部１４ａを消灯し、ＳＴＥＰ５２で点火準備表示部１４ａを点滅させると共にブザー１８を鳴動させる「異常報知」を実行して、図５のＳＴＥＰ９に進む。
【００５６】
一方、ＳＴＥＰ１６で、２秒タイマがタイムアップする前に点火準備スイッチ１１ａがｏｎ状態からｏｆｆ状態に復帰したときには、使用者の操作により点火準備スイッチ１１ａがｏｆｆ状態→ｏｎ状態→ｏｆｆ状態と切り換わったと想定される。そのため、この場合はＳＴＥＰ１７に進んで「点火準備状態」となり、コントローラ３０はＳＴＥＰ１７で１０秒タイマをスタートさせ、ＳＴＥＰ１８で「スイッチ検知処理」を実行する。
【００５７】
そして、次のＳＴＥＰ１９で、コントローラ３０は誤検知フラグＳerr_Fがセット（Ｓerr_F＝１）されているか否かを判断し、誤検知フラグＳerr_Fがセットされていたとき（「スイッチ検知処理」において操作部６のスイッチの誤検知と判断されたとき）はＳＴＥＰ１８に戻り、再び「スイッチ検知処理」を実行する。この場合は、後述する図７のＳＴＥＰ２６の「点火処理」の実行が禁止される。
【００５８】
一方、ＳＴＥＰ１９で誤検知フラグＳerr_Fがリセット（Ｓerr_F＝０）されていたとき（「スイッチ検知処理」において操作部６のいずれかのスイッチが使用者により操作されたと判断されたとき）には、ＳＴＥＰ２０に進む。そして、ＳＴＥＰ２０で、「スイッチ検知処理」における第１のスイッチが運転スイッチ１０であったときはＳＴＥＰ５５に分岐し、点灯制御手段３２は、ＳＴＥＰ５５でアンロック表示部１６を消灯し、ＳＴＥＰ５６でブザー１８を鳴動させて、図４のＳＴＥＰ１に戻る。これにより、コンロは「待機状態」に戻る。
【００５９】
また、ＳＴＥＰ２１で、「スイッチ検知処理」における第１のスイッチが点火準備スイッチ１１ａであったときはＳＴＥＰ６０に分岐する。そして、点灯制御手段３２は、ＳＴＥＰ６０で点灯準備表示部１４ａを消灯し、ＳＴＥＰ６１でブザー１８を鳴動させて、図５のＳＴＥＰ９に戻る。これにより、コンロは「運転状態」となる。
【００６０】
また、ＳＴＥＰ２２で、「スイッチ検知処理」における第１のスイッチが火力ＵＰスイッチ１３ａであったときは、図７のＳＴＥＰ２３に進む。一方、ＳＴＥＰ２２で第１のタッチスイッチが火力ＵＰスイッチ１３ａでなかったとき、すなわち、ＳＴＥＰ１８の「スイッチ検知処理」における第１のタッチスイッチが、運転スイッチ１０、点火準備スイッチ１１ａ、及び火力ＵＰスイッチ１３ａのいずれでもなかったときは、ＳＴＥＰ１８に戻り、コントローラ３０は再び「スイッチ検知処理」を実行する。
【００６１】
図７のＳＴＥＰ２３，ＳＴＥＰ２４は点灯制御手段３２による処理であり、点灯制御手段３２はＳＴＥＰ２３で火力レベル表示部１５ａをレベル４（点灯処理時の火力レベル）で点灯し、ＳＴＥＰ２４でブザー１８を鳴動させる。そして、コントローラ３０は、次のＳＴＥＰ２５とＳＴＥＰ７０からなるループを実行して、ＳＴＥＰ７０で１０秒タイマのタイムアップの有無を判断しながら、ＳＴＥＰ２５で火力ＵＰスイッチ１３ａがｏｎ状態からｏｆｆ状態に復帰するのを待つ。
【００６２】
ここで、ＳＴＥＰ７０で１０秒タイマがタイムアップしたときは、火力ＵＰスイッチ１３ａが１０秒以上継続してｏｎ状態となっており、調理物の煮こぼれ等の使用者の操作以外の要因によって火力ＵＰスイッチ１３ａがｏｆｆ状態からｏｎ状態になったと想定される。そのため、この場合はＳＴＥＰ７０からＳＴＥＰ７１に進み、点灯制御手段３２は、点火準備表示部１４ａを消灯し、ＳＴＥＰ７２で火力レベル表示部１５ａを消灯し、ＳＴＥＰ７３で点火準備表示部１４ａを点滅させると共にブザー１８を鳴動させる「異常報知」を行って、図５のＳＴＥＰ９に進む。
【００６３】
一方、ＳＴＥＰ２５で、１０秒タイマがタイムアップする前に火力ＵＰスイッチ１３ａがｏｎ状態からｏｆｆ状態に復帰したときには、使用者の操作により火力ＵＰスイッチ１３ａがｏｆｆ状態→ｏｎ状態→ｏｆｆ状態と切り換わったと想定される。そのため、この場合はＳＴＥＰ２６に進み、コントローラ３０は左バーナ４ａの「点火処理」を実行する。
【００６４】
「点火処理」は加熱制御手段３１（図３参照）により実行され、加熱制御手段３１は、イグナイタ４３ａを作動させて点火電極に火花放電を生じさせた状態で、ガス元弁４０と左バーナ用開閉弁４１ａを開弁し、左バーナ用火力調節弁４２ａを火力レベル４に設定して左バーナ４ａに点火する。
【００６５】
次に、図８〜図１１は左バーナ４ａが燃焼状態にあるときに、操作部６のいずれかのスイッチがｏｆｆ状態からｏｎ状態に切り換わったときの処理を示したフローチャートである。
【００６６】
コントローラ３０は、図８のＳＴＥＰ１００で「スイッチ検知処理」を実行する。そして、次のＳＴＥＰ１０１で誤検知フラグＳerr_Fがセットされているか否かを判断し、誤検知フラグがＳerr_Fがセットされていたとき（「スイッチ検知処理」において操作部６のタッチスイッチの誤検知と判断されたとき）はＳＴＥＰ１１０に分岐する。ＳＴＥＰ１１０で、コントローラ１００は、ＳＴＥＰ１００の「スイッチ検知処理」における第１のタッチスイッチ又は第２のタッチスイッチが、点火準備スイッチ１１ａであるか否かを判断する。
【００６７】
ＳＴＥＰ１１０で、第１のタッチスイッチが点火準備スイッチ１１ａであったときは、図１１のＳＴＥＰ１６０に進む。ＳＴＥＰ１６０は加熱制御手段３１による処理であり、加熱制御手段３１は、左バーナ用開閉弁４１ａを閉弁して左バーナ４ａを消火する。続くＳＴＥＰ１６１〜ＳＴＥＰ１６３は点灯制御手段３２による処理であり、点灯制御手段３２は、ＳＴＥＰ１６１で火力レベル表示部１５ａを消灯し、ＳＴＥＰ１６２で点火準備表示部１４ａを消灯し、ＳＴＥＰ１６３でブザーを鳴動させる。そして、図５のＳＴＥＰ９に戻る。
【００６８】
このように、左バーナ４ａが燃焼状態にあるときに、点火準備スイッチ１１ａがｏｆｆ状態からｏｎ状態に切り換わったときには、「スイッチ検知処理」において誤検知フラグＳerr_Fがセットされた場合（スイッチの誤検知と判断された場合）であっても、左バーナ４ａが消火される。これにより、使用者は、点火準備スイッチ１１ａと他のタッチスイッチを同時に操作することで、速やかに左バーナ４ａを消火することができる。
【００６９】
また、ＳＴＥＰ１１０で第１のタッチスイッチ又は第２のタッチスイッチが点火準備スイッチ１１ａでなかったときはＳＴＥＰ１１５に分岐し、コントローラ３０は第１のタッチスイッチ又は第２のタッチスイッチが運転スイッチ１０であったときには、図１１のＳＴＥＰ１７０に進む。
【００７０】
ＳＴＥＰ１７０は加熱制御手段３１による処理であり、加熱制御手段３１は左バーナ用開閉弁４１ａを閉弁して左バーナ４ａを消火する。また、ＳＴＥＰ１７１〜ＳＴＥＰ１７４は点灯制御手段３２による処理であり、点灯制御手段３２は、ＳＴＥＰ１７１で火力レベル表示部１５ａを消灯し、ＳＴＥＰ１７２で点火準備表示部１４ａを消灯し、ＳＴＥＰ１７３でアンロック表示部１６を消灯し、ＳＴＥＰ１７４でブザー１８を鳴動させる。そして、ＳＴＥＰ１７４から図４のＳＴＥＰ１に戻る。
【００７１】
このように、左バーナ４ａが燃焼状態にあるときに、運転スイッチ１０がｏｆｆ状態からｏｎ状態に切り換わったときには、「スイッチ検知処理」において誤検知フラグＳerr_Fがセットされた場合（スイッチの誤検知と判断された場合）であっても、左バーナ４ａが消火される。これにより、使用者は、点火準備スイッチ１１ａと他のタッチスイッチを同時に操作することで、速やかに左バーナ４ａを消火することができる。
【００７２】
また、ＳＴＥＰ１１５で第１のタッチスイッチ又は第２のタッチスイッチが運転スイッチでなかったときには、ＳＴＥＰ１１５に分岐し、コントローラ３０は再び「スイッチ検知処理」を実行する。そのため、「スイッチ検知処理」において、誤検知フラグＳerr_Fがセットされたときに、第１のタッチスイッチと第２のタッチスイッチのいずれもが、点火準備スイッチ１１ａでも運転スイッチ１０でもないときには、左バーナ１４ａに対して何の処理も実行されない。
【００７３】
また、ＳＴＥＰ１０１で誤検知フラグＳerr_Fがリセット（Ｓerr_F＝０）されていたときにはＳＴＥＰ１０２に進み、コントローラ３０は、「スイッチ検知処理」における第１のタッチスイッチが火力ＵＰスイッチ１３ａであったか否かを判断する。そして、第１のタッチスイッチが火力ＵＰスイッチ１３ａであったときは図９のＳＴＥＰ１２０に進む。
【００７４】
ＳＴＥＰ１２０〜ＳＴＥＰ１２１は点灯制御手段３２による処理であり、点灯制御手段３２はＳＴＥＰ１２０で火力レベル表示部１５ａの点灯部分の点灯個数を１個増加させ、ＳＴＥＰ１２１でブザー１８を鳴動させて、使用者に火力ＵＰスイッチ１３ａの操作が受け付けられたことを報知する。そして、コントローラ３０は、ＳＴＥＰ１２３とＳＴＥＰ１３０からなるループを実行して、ＳＴＥＰ１３０で２秒タイマのタイムアップの有無を判断しながら、ＳＴＥＰ１２３で火力ＵＰスイッチ１３ａがｏｎ状態からｏｆｆ状態に復帰するのを待つ。
【００７５】
ここで、ＳＴＥＰ１３０で２秒タイマがタイムアップしたときは、火力ＵＰスイッチ１３ａが２秒以上継続してｏｎ状態となっており、調理物の煮こぼれ等の使用者の操作以外の要因によって火力ＵＰスイッチ１３ａがｏｆｆ状態からｏｎ状態になったと想定される。そのため、この場合はＳＴＥＰ１３０からＳＴＥＰ１３１に進み、点灯制御手段３２は、ＳＴＥＰ１３１で火力レベル表示部１５ａの点灯部分の点灯個数を１個減少させ、ＳＴＥＰ１３２で点灯準備表示部１４ａを点滅させると共にブザー１８を鳴動させる「異常報知」を行って、図８のＳＴＥＰ１００に進む。これにより、コントローラ３０は、使用者の操作以外の要因により火力ＵＰスイッチ１３ａがｏｆｆ状態からｏｎ状態に切り換わったときに、左バーナ１４ａの火力が増大することを防止している。
【００７６】
一方、ＳＴＥＰ１２３で、２秒タイマがタイムアップする前に火力ＵＰスイッチ１３ａがｏｎ状態からｏｆｆ状態に復帰したときには、ＳＴＥＰ１２４に進む。ＳＴＥＰ１２４は加熱制御手段３１による処理であり、加熱制御手段３１は、左バーナ用火力調節弁の開度を１段階上げて左バーナ４ａの火力を増大させる。そして、図８のＳＴＥＰ１００に戻る。
【００７７】
また、図８のＳＴＥＰ１０３で、「スイッチ検知処理」における第１のタッチスイッチが火力ＤＯＷＮスイッチ１２ａであったときは図１０のＳＴＥＰ１４０に分岐する。ＳＴＥＰ１４０〜ＳＴＥＰ１４１は点灯制御手段３２による処理であり、点灯制御手段３２は、ＳＴＥＰ１４０で火力レベル表示部１５ａの点灯部分の点灯個数を１個減少させ、ＳＴＥＰ１４１でブザー１８を鳴動させて、使用者に火力ＤＯＷＮスイッチ１２ａの操作が受け付けられたことを報知する。
【００７８】
そして、コントローラ３０は、ＳＴＥＰ１５０で２秒タイマのタイムアップの有無を判断しながら、ＳＴＥＰ１４３で火力ＤＯＷＮスイッチ１２ａがｏｎ状態からｏｆｆ状態に復帰するのを待つ。
【００７９】
ここで、ＳＴＥＰ１５０で２秒タイマがタイムアップしたときは、火力ＤＯＷＮスイッチ１２ａが２秒以上継続してｏｎ状態となっており、調理物の煮こぼれ等の使用者の操作以外の要因によって火力ＤＯＷＮスイッチ１２ａがｏｆｆ状態からｏｎ状態になったと想定される。そのため、この場合はＳＴＥＰ１５０からＳＴＥＰ１５１に進む。
【００８０】
ＳＴＥＰ１５１〜ＳＴＥＰ１５２は点灯制御手段３２による処理であり、点灯制御手段３２は、ＳＴＥＰ１５１で火力レベル表示部１５ａの点灯部分の点灯個数を１個増加させ、ＳＴＥＰ１５２で点灯準備表示部１４ａを点滅させると共にブザー１８を鳴動させる「異常報知」を行って、図８のＳＴＥＰ１００に進む。これにより、コントローラ３０は、使用者の操作以外の要因により火力ＤＯＷＮスイッチ１２ａがｏｆｆ状態からｏｎ状態に切り換わったときに、左バーナ１４ｂの火力が減少することを防止している。
【００８１】
一方、ＳＴＥＰ１４３で、２秒タイマがタイムアップする前に火力ＤＯＷＮスイッチ１２ａがｏｎ状態からｏｆｆ状態に復帰したときには、ＳＴＥＰ１４４に進む。ＳＴＥＰ１４４は加熱制御手段３１による処理であり、加熱制御手段３１は、左バーナ用火力調節弁４２ａの開度を１段階下げて左バーナ４ａの火力を減少させる。そして、図８のＳＴＥＰ１００に戻る。
【００８２】
また、図８のＳＴＥＰ１０４で、「スイッチ検知処理」における第１のタッチスイッチが点火準備スイッチ１１ａが点火準備スイッチ１１ａであったときは、図１１のＳＴＥＰ１６０に進み、加熱制御手段３１による左バーナ４ａの消火等の処理が実行される。また、図８のＳＴＥＰ１０５で、「スイッチ検知処理」における第１のタッチスイッチが点火準備スイッチ１１ａが運転スイッチ１０であったときは、図１１のＳＴＥＰ１７０に進み、加熱制御手段３１による左バーナ４ａの消火等の処理が実行される。一方、ＳＴＥＰ１０４で、第１のタッチスイッチが運転準備スイッチ１０ａでなかったときには、ＳＴＥＰ１００に戻り、左バーナ４ａに対する処理は実行されない。
【００８３】
なお、本実施の形態では、本発明の加熱手段としてガスバーナ４ａ，４ｂを備えたコンロを示したが、電気ヒータ等の他の種類の加熱手段を備えたコンロに対しても本発明の適用が可能である。
【００８４】
また、本実施の形態では、本発明のタッチスイッチとして静電容量型のタッチスイッチを採用したコンロを示したが、タッチスイッチの種類はこれに限られず、赤外線の発光部／受光部を備えたフォトスイッチやタクトスイッチ等の機械接点式のタッチスイッチを採用したコンロであっても、本発明の適用が可能である。
【００８５】
また、本実施の形態では、本発明の天板として耐熱ガラスを用いたガラス天板２を備えたコンロを示したが、タッチスイッチの種類によっては、ステンレス等の他の素材の天板を備えたコンロに対しても本発明の適用が可能である。
【００８６】
また、本実施の形態では、図１２に示したように、「スイッチ検知」のサブルーチンにおいて、ＳＴＥＰ２０３で１秒タイマがタイムアップする前にＳＴＥＰ２１０で第２のタッチスイッチがｏｆｆ状態からｏｎ状態に切り換わるから否かを判断することにより、調理物の煮こぼれ等により操作部６のタッチスイッチがｏｆｆ状態からｏｎ状態に切り換わった。これに対して、図１３に示したように、ＳＴＥＰ２２１で第１のタッチスイッチがｏｆｆ状態からｏｎ状態切り換わった後、ＳＴＥＰ２２２で第１のタッチスイッチがｏｎ状態からｏｆｆ状態に復帰するまでの間、ＳＴＥＰ２３０で第２のタッチスイッチがｏｆｆ状態からｏｎ状態に維持されたときに、調理物の煮こぼれ等により操作部６のタッチスイッチがｏｆｆ状態からｏｎ状態に切り換わったと判断するようにしても良い
また、本実施の形態では、図２に示したように、点火準備スイッチ１１ａ，１１ｂの右側に配置された火力ＵＰスイッチ１３ａ，１３ｂを、バーナ４ａ，４ｂの点火を指示する点火スイッチ（本発明の加熱開始スイッチに相当する）と兼用したが、図１４（ａ）に示したように、点火スイッチ５０の左右両側に他のタッチスイッチ５１，５２を配置するようにしてもよい。この場合は、点火スイッチの右側又は左側から点火スイッチに向かって煮こぼれが流れたときに、点火スイッチを含む２個以上のタッチスイッチがｏｆｆ状態からｏｎ状態に切り換わる。
【００８７】
そのため、図１２と図１３に示した「スイッチ検知処理」のサブルーチンにおいてタッチスイッチの誤検知が生じたことが認識され、使用者の操作以外の要因で点火スイッチがｏｆｆ状態からｏｎ状態に切り換わったときに、左バーナ４ａ，４ｂの点火処理が実行されることを防止することができる。さらに、図１４（ｂ）に示したように、点火スイッチ５０の上下方向にもタッチスイッチ５３，５４を配置することで、点火スイッチ５０の上下方向から点火スイッチ５０に向かって煮こぼれが流れた場合にも、「スイッチ検知処理」のサブルーチンにおいてタッチスイッチの誤検知が生じたことが認識されて、バーナ４ａ，４ｂの点火処理が実行されることを防止することができる。
【図面の簡単な説明】
【００８８】
【図１】本発明のコンロの外観図。
【図２】図１に示した操作部の詳細図。
【図３】コンロの制御ブロック図。
【図４】バーナの点火処理のフローチャート。
【図５】バーナの点火処理のフローチャート。
【図６】バーナの点火処理のフローチャート。
【図７】バーナの点火処理のフローチャート。
【図８】バーナ燃焼中の各種処理のフローチャート。
【図９】バーナ燃焼中の各種処理のフローチャート。
【図１０】バーナ燃焼中の各種処理のフローチャート。
【図１１】バーナ燃焼中の各種処理のフローチャート。
【図１２】スイッチ入力検知処理のフローチャート。
【図１３】スイッチ入力検知処理のフローチャート。
【図１４】点火スイッチの配置図。
【図１５】従来のコンロの外観図。
【符号の説明】
【００８９】
１…コンロ本体、２…ガラス天板、４ａ…左バーナ、４ｂ…右バーナ、６…操作部、１０…運転スイッチ、１１ａ，１１ｂ…点火準備スイッチ、１２ａ，１２ｂ…火力ＤＯＷＮスイッチ、１３ａ，１３ｂ…火力ＵＰスイッチ、１４ａ，１４ｂ…点火準備表示部、１５ａ，１５ｂ…火力レベル表示部、１６…アンロック表示部、１７…ロック表示部、３０…コントローラ、３１…加熱制御手段、３２…点灯制御手段
【図１】
2005315438.tif 000003
【図２】
2005315438.tif 000004
【図３】
2005315438.tif 000005
【図４】
2005315438.tif 000006
【図５】
2005315438.tif 000007
【図６】
2005315438.tif 000008
【図７】
2005315438.tif 000009
【図８】
2005315438.tif 000010
【図９】
2005315438.tif 000011
【図１０】
2005315438.tif 000012
【図１１】
2005315438.tif 000013
【図１２】
2005315438.tif 000014
【図１３】
2005315438.tif 000015
【図１４】
2005315438.tif 000016
【図１５】
2005315438.tif 000017